(57)【要約】【課題】  価格変更の作業負担を軽減できると共に、価格の変更を積極的に行うことによって、効率良く消費者への各商品の販売促進を行うことができる価格管理システムを提供する。【解決手段】  価格管理装置が、表示した各商品の価格の変更価格を受け付けて、商品情報記憶手段に記録される各商品の価格を、変更価格に変更し、価格を変更した商品の識別情報と当該商品の価格の組み合わせの情報を発信装置に通知して発信指示を行なう。そして発信装置が、価格を変更した商品の識別情報と当該商品の価格の組み合わせの情報を含む無線信号を発信し、受信装置が、無線信号に含まれる商品の識別情報が、自装置の識別情報記憶手段で記憶している識別情報と一致した場合に、価格表示手段で表示する価格を、無線信号に含まれる識別情報に対応する価格に変更する。【選択図】    図１
2006113756.tif 000002
【特許請求の範囲】
【請求項１】
価格管理装置と、無線信号を発信する発信装置と、前記無線信号を受信する受信装置と、を備えた価格管理システムであって、
前記価格管理装置が、
各商品が所定のグループに帰属するか否かを示す商品帰属グループ情報と前記商品の価格とを記憶する商品情報記憶手段と、
各商品の価格を表示部に表示する価格表示処理手段と、
前記商品の価格の変更価格を受け付けて、前記商品情報記憶手段に記録される前記各商品の価格を、前記変更価格に変更する価格変更手段と、
前記商品の識別情報と当該商品の前記価格の組み合わせの情報を前記発信装置に通知して発信指示を行なう発信指示手段とを備え、
前記発信装置が、
前記価格管理装置より通知された情報を含む無線信号を発信する発信手段を備え、
前記受信装置が、
前記無線信号を受信する受信手段と、
前記商品の識別情報を記憶する識別情報記憶手段と、
価格を表示する価格表示手段と、
前記無線信号に含まれる商品の識別情報が、前記識別情報記憶手段で記憶している識別情報と一致した場合に、前記価格表示手段で表示する価格を、前記無線信号に含まれる識別情報に対応する前記価格に変更する表示変更手段と、
を備えることを特徴とする価格管理システム。
【請求項２】
前記価格管理装置は、
商品の帰属するグループを前記商品情報記憶手段から読み取り、当該グループの情報を前記表示部に表示するグループ表示処理手段と、
を備えることを特徴とする請求項１に記載の価格管理システム。
【請求項３】
前記価格管理装置は、
前記商品情報記憶手段において、前記グループ毎の重み付けを示す重み付け情報を記憶し、
さらに、前記重み付け情報と前記商品帰属グループ情報とに基づいて前記価格を変更した商品に関連する他の商品を特定する関連商品特定手段と、
を備えることを特徴とする請求項１または請求項２に記載の価格管理システム。
【請求項４】
前記価格管理装置は、
前記商品情報記憶手段において、前記商品ごとの仕入れ数を記憶し、
さらに、前記価格を変更した商品についての前記変更価格によって発生する損失額を、当該価格を変更した商品の前記価格と前記変更価格と、前記仕入れ数とに基づいて計算する損失額計算手段と、
前記損失額を、前記価格を変更した商品に関連する他の商品に、所定の配分計算式に基づいて配分する損失額配分手段と、を備え、
前記価格変更手段において、前記商品情報記憶手段に記録される前記各商品の価格を、前記配分された損失額を上乗せした変更価格に変更する
ことを特徴とする請求項３に記載の価格管理システム。
【請求項５】
価格管理装置と、無線信号を発信する発信装置と、前記無線信号を受信する受信装置と、を備えた価格管理システムにおける価格管理方法であって、
前記価格管理装置の商品情報記憶手段が、各商品が所定のグループに帰属するか否かを示す商品帰属グループ情報と前記商品の価格とを記憶し、
前記価格管理装置の価格表示処理手段が、各商品の価格を表示部に表示し、
前記価格管理装置の価格変更手段が、前記商品の価格の変更価格を受け付けて、前記商品情報記憶手段に記録される前記各商品の価格を、前記変更価格に変更し、
前記価格管理装置の発信指示手段が、前記商品の識別情報と当該商品の前記価格の組み合わせの情報を前記発信装置に通知して発信指示を行ない、
前記発信装置の発信手段が、前記価格管理装置より通知された情報を含む無線信号を発信し、
前記受信装置の受信手段が、前記無線信号を受信し、
前記受信装置の識別情報記憶手段が、前記商品の識別情報を記憶し、
前記受信装置の表示変更手段が、前記無線信号に含まれる商品の識別情報が、前記識別情報記憶手段で記憶している識別情報と一致した場合に、価格表示手段で表示する価格を、前記無線信号に含まれる識別情報に対応する前記価格に変更する
ことを特徴とする価格管理方法。
【請求項６】
前記価格管理装置のグループ表示処理手段が、商品の帰属するグループを前記商品情報記憶手段から読み取り、当該グループの情報を前記表示部に表示する
ことを特徴とする請求項５に記載の価格管理方法。
【請求項７】
前記価格管理装置の前記商品情報記憶手段において、前記グループ毎の重み付けを示す重み付け情報を記憶し、
前記価格管理装置の関連商品特定手段が、さらに、前記重み付け情報と前記商品帰属グループ情報とに基づいて前記価格を変更した商品に関連する他の商品を特定する
ことを特徴とする請求項５または請求項６に記載の価格管理方法。
【請求項８】
前記価格管理装置の前記商品情報記憶手段において、前記商品ごとの仕入れ数を記憶し、
前記価格管理装置の損失額計算手段が、前記価格を変更した商品についての前記変更価格によって発生する損失額を、当該価格を変更した商品の前記価格と前記変更価格と、前記仕入れ数とに基づいて計算し、
前記価格管理装置の損失額配分手段が、前記損失額を、前記価格を変更した商品に関連する他の商品に、所定の配分計算式に基づいて配分し、
前記価格管理装置の前記価格変更手段が、前記商品情報記憶手段に記録される前記各商品の価格を、前記配分された損失額を上乗せした変更価格に変更する
ことを特徴とする請求項７に記載の価格管理方法。
【請求項９】
価格管理装置と、無線信号を発信する発信装置と、前記無線信号を受信する受信装置とを有し、前記受信装置が前記無線信号に含まれる変更価格を表示する価格管理システムにおける、
各商品が所定のグループに帰属するか否かを示す商品帰属グループ情報と、前記グループ毎の重み付けを示す重み付け情報と、前記商品の価格と、前記商品ごとの仕入れ数と、を記憶する商品情報記憶手段を備えた前記価格管理装置であって、
前記重み付け情報と前記商品帰属グループ情報とに基づいて前記価格を変更した商品に関連する他の商品を特定する関連商品特定手段と、
前記価格を変更した商品についての前記変更価格によって発生する損失額を、当該価格を変更した商品の前記価格と前記変更価格と、前記仕入れ数とに基づいて計算する損失額計算手段と、
前記損失額を、前記価格を変更した商品に関連する他の商品に、所定の配分計算式に基づいて配分する損失額配分手段と、
前記商品情報記憶手段に記録される前記各商品の価格を、前記配分された損失額を上乗せした変更価格に変更する価格変更手段と、
前記価格を変更した商品の識別情報と当該商品の前記変更価格の組み合わせの情報を前記発信装置に通知して発信指示を行なう発信指示手段と、
を備えることを特徴とする価格管理装置。
【請求項１０】
価格管理装置と、無線信号を発信する発信装置と、前記無線信号を受信する受信装置とを有し、前記受信装置が前記無線信号に含まれる変更価格を表示する価格管理システムにおける、
各商品が所定のグループに帰属するか否かを示す商品帰属グループ情報と、前記グループ毎の重み付けを示す重み付け情報と、前記商品の価格と、前記商品ごとの仕入れ数と、を記憶する商品情報記憶手段を備えた前記価格管理装置
のコンピュータに実行させるプログラムであって、
前記重み付け情報と前記商品帰属グループ情報とに基づいて前記価格を変更した商品に関連する他の商品を特定する関連商品特定処理と、
前記価格を変更した商品についての前記変更価格によって発生する損失額を、当該価格を変更した商品の前記価格と前記変更価格と、前記仕入れ数とに基づいて計算する損失額計算処理と、
前記損失額を、前記価格を変更した商品に関連する他の商品に、所定の配分計算式に基づいて配分する損失額配分処理と、
前記商品情報記憶手段に記録される前記各商品の価格を、前記配分された損失額を上乗せした変更価格に変更する価格変更処理と、
前記価格を変更した商品の識別情報と当該商品の前記変更価格の組み合わせの情報を前記発信装置に通知して発信指示を行なう発信指示処理と、
をコンピュータに実行させるプログラム。
【請求項１１】
価格管理システムにおける前記受信装置であって、
商品の識別情報と当該商品の価格の組み合わせの情報を含む無線信号を前記発信装置から受信する受信手段と、
前記商品の識別情報を記憶する識別情報記憶手段と、
価格を表示する価格表示手段と、
前記無線信号に含まれる商品の識別情報が、前記識別情報記憶手段で記憶している識別情報と一致した場合に、前記価格表示手段で表示する価格を、前記無線信号に含まれる識別情報に対応する前記価格に変更する表示変更手段と、
を備えることを特徴とする受信装置。
【請求項１２】
価格管理システムにおける前記受信装置のコンピュータに実行させるプログラムの記録媒体であって、
商品の識別情報と当該商品の価格の組み合わせの情報を含む無線信号を前記発信装置から受信する受信処理と、
価格表示手段に商品の価格を表示する価格表示処理と、
前記無線信号に含まれる商品の識別情報が、識別情報記憶手段で記憶している識別情報と一致した場合に、前記価格表示手段で表示する価格を、前記無線信号に含まれる識別情報に対応する前記価格に変更する表示変更処理と、
をコンピュータに実行させるプログラムの記録媒体。
【請求項１３】
請求項１０または請求項１２に記載のプログラムを記憶するコンピュータ読み取り可能な記録媒体。
【発明の詳細な説明】
【技術分野】
【０００１】
本発明は、売り場の商品の価格を管理する価格管理システム、価格管理装置、受信装置、価格管理方法およびプログラム並びに記録媒体に関する。
【背景技術】
【０００２】
ＲＦＩＤタグの機能を備えた棚札を利用して商品の陳列棚に並べられた各商品の価格を表示する技術が公開されている（例えば、非特許文献１参照）。これは電子棚札システム（Electoronic Shelf Labels System）などと呼ばれているが、このような電子棚札システムは通信ネットワークを介してサーバ装置と接続させることにより、紙媒体による価格の変更処理に比べて、価格変更の作業が容易に行うことができ、作業者の作業負担の軽減に繋がる。
【非特許文献１】[online]、「平成１６年８月２０日検索」、インターネット＜http://www.future-store.org/＞
【発明の開示】
【発明が解決しようとする課題】
【０００３】
しかしながら、上述のような電子棚札システムでは、単に商品の価格を表示させるだけの仕組みとなっており、価格の変更を積極的に行うことによって消費者への販売促進を行なうという点で不十分である。
【０００４】
そこでこの発明は、価格変更の作業負担を軽減できると共に、価格の変更を積極的に行うことによって、効率良く消費者への各商品の販売促進を行うことができる価格管理システム、価格管理装置、受信装置、価格管理方法およびプログラム並びに記録媒体を提供することを目的としている。
【課題を解決するための手段】
【０００５】
本発明は、上述の課題を解決すべくなされたもので、価格管理装置と、無線信号を発信する発信装置と、前記無線信号を受信する受信装置と、を備えた価格管理システムであって、前記価格管理装置が、各商品が所定のグループに帰属するか否かを示す商品帰属グループ情報と前記商品の価格とを記憶する商品情報記憶手段と、各商品の価格を表示部に表示する価格表示処理手段と、前記商品の価格の変更価格を受け付けて、前記商品情報記憶手段に記録される前記各商品の価格を、前記変更価格に変更する価格変更手段と、前記商品の識別情報と当該商品の前記価格の組み合わせの情報を前記発信装置に通知して発信指示を行なう発信指示手段とを備え、前記発信装置が、前記価格管理装置より通知された情報を含む無線信号を発信する発信手段を備え、前記受信装置が、前記無線信号を受信する受信手段と、前記商品の識別情報を記憶する識別情報記憶手段と、価格を表示する価格表示手段と、前記無線信号に含まれる商品の識別情報が、前記識別情報記憶手段で記憶している識別情報と一致した場合に、前記価格表示手段で表示する価格を、前記無線信号に含まれる識別情報に対応する前記価格に変更する表示変更手段と、を備えることを特徴とする。
【０００６】
また本発明は、前記価格管理装置が、商品の帰属するグループを前記商品情報記憶手段から読み取り、当該グループの情報を前記表示部に表示するグループ表示処理手段と、を備えることを特徴とする。
【０００７】
また本発明は、前記価格管理装置が、前記商品情報記憶手段において、前記グループ毎の重み付けを示す重み付け情報を記憶し、さらに、前記重み付け情報と前記商品帰属グループ情報とに基づいて前記価格を変更した商品に関連する他の商品を特定する関連商品特定手段と、を備えることを特徴とする。
【０００８】
また本発明は、前記価格管理装置が、前記商品情報記憶手段において、前記商品ごとの仕入れ数を記憶し、さらに、前記価格を変更した商品についての前記変更価格によって発生する損失額を、当該価格を変更した商品の前記価格と前記変更価格と、前記仕入れ数とに基づいて計算する損失額計算手段と、前記損失額を、前記価格を変更した商品に関連する他の商品に、所定の配分計算式に基づいて配分する損失額配分手段と、を備え、前記価格変更手段において、前記商品情報記憶手段に記録される前記各商品の価格を、前記配分された損失額を上乗せした変更価格に変更することを特徴とする。
【０００９】
また本発明は、価格管理装置と、無線信号を発信する発信装置と、前記無線信号を受信する受信装置と、を備えた価格管理システムにおける価格管理方法であって、前記価格管理装置の商品情報記憶手段が、各商品が所定のグループに帰属するか否かを示す商品帰属グループ情報と前記商品の価格とを記憶し、前記価格管理装置の価格表示処理手段が、各商品の価格を表示部に表示し、前記価格管理装置の価格変更手段が、前記商品の価格の変更価格を受け付けて、前記商品情報記憶手段に記録される前記各商品の価格を、前記変更価格に変更し、前記価格管理装置の発信指示手段が、前記商品の識別情報と当該商品の前記価格の組み合わせの情報を前記発信装置に通知して発信指示を行ない、前記発信装置の発信手段が、前記価格管理装置より通知された情報を含む無線信号を発信し、前記受信装置の受信手段が、前記無線信号を受信し、前記受信装置の識別情報記憶手段が、前記商品の識別情報を記憶し、前記受信装置の表示変更手段が、前記無線信号に含まれる商品の識別情報が、前記識別情報記憶手段で記憶している識別情報と一致した場合に、価格表示手段で表示する価格を、前記無線信号に含まれる識別情報に対応する前記価格に変更することを特徴とする価格管理方法である。
【００１０】
また本発明は、前記価格管理装置のグループ表示処理手段が、商品の帰属するグループを前記商品情報記憶手段から読み取り、当該グループの情報を前記表示部に表示することを特徴とする。
【００１１】
また本発明は、前記価格管理装置の前記商品情報記憶手段において、前記グループ毎の重み付けを示す重み付け情報を記憶し、前記価格管理装置の関連商品特定手段が、さらに、前記重み付け情報と前記商品帰属グループ情報とに基づいて前記価格を変更した商品に関連する他の商品を特定することを特徴とする。
【００１２】
また本発明は、前記価格管理装置の前記商品情報記憶手段において、前記商品ごとの仕入れ数を記憶し、前記価格管理装置の損失額計算手段が、前記価格を変更した商品についての前記変更価格によって発生する損失額を、当該価格を変更した商品の前記価格と前記変更価格と、前記仕入れ数とに基づいて計算し、前記価格管理装置の損失額配分手段が、前記損失額を、前記価格を変更した商品に関連する他の商品に、所定の配分計算式に基づいて配分し、前記価格管理装置の前記価格変更手段が、前記商品情報記憶手段に記録される前記各商品の価格を、前記配分された損失額を上乗せした変更価格に変更することを特徴とする。
【００１３】
また本発明は、価格管理装置と、無線信号を発信する発信装置と、前記無線信号を受信する受信装置とを有し、前記受信装置が前記無線信号に含まれる変更価格を表示する価格管理システムにおける、各商品が所定のグループに帰属するか否かを示す商品帰属グループ情報と、前記グループ毎の重み付けを示す重み付け情報と、前記商品の価格と、前記商品ごとの仕入れ数と、を記憶する商品情報記憶手段を備えた前記価格管理装置であって、前記重み付け情報と前記商品帰属グループ情報とに基づいて前記価格を変更した商品に関連する他の商品を特定する関連商品特定手段と、前記価格を変更した商品についての前記変更価格によって発生する損失額を、当該価格を変更した商品の前記価格と前記変更価格と、前記仕入れ数とに基づいて計算する損失額計算手段と、前記損失額を、前記価格を変更した商品に関連する他の商品に、所定の配分計算式に基づいて配分する損失額配分手段と、前記商品情報記憶手段に記録される前記各商品の価格を、前記配分された損失額を上乗せした変更価格に変更する価格変更手段と、前記価格を変更した商品の識別情報と当該商品の前記変更価格の組み合わせの情報を前記発信装置に通知して発信指示を行なう発信指示手段と、を備えることを特徴とする価格管理装置である。
【００１４】
また本発明は、価格管理装置と、無線信号を発信する発信装置と、前記無線信号を受信する受信装置とを有し、前記受信装置が前記無線信号に含まれる変更価格を表示する価格管理システムにおける、各商品が所定のグループに帰属するか否かを示す商品帰属グループ情報と、前記グループ毎の重み付けを示す重み付け情報と、前記商品の価格と、前記商品ごとの仕入れ数と、を記憶する商品情報記憶手段を備えた前記価格管理装置のコンピュータに実行させるプログラムであって、前記重み付け情報と前記商品帰属グループ情報とに基づいて前記価格を変更した商品に関連する他の商品を特定する関連商品特定処理と、前記価格を変更した商品についての前記変更価格によって発生する損失額を、当該価格を変更した商品の前記価格と前記変更価格と、前記仕入れ数とに基づいて計算する損失額計算処理と、前記損失額を、前記価格を変更した商品に関連する他の商品に、所定の配分計算式に基づいて配分する損失額配分処理と、前記商品情報記憶手段に記録される前記各商品の価格を、前記配分された損失額を上乗せした変更価格に変更する価格変更処理と、前記価格を変更した商品の識別情報と当該商品の前記変更価格の組み合わせの情報を前記発信装置に通知して発信指示を行なう発信指示処理と、をコンピュータに実行させるプログラムである。
【００１５】
また本発明は、価格管理システムにおける前記受信装置であって、商品の識別情報と当該商品の価格の組み合わせの情報を含む無線信号を前記発信装置から受信する受信手段と、前記商品の識別情報を記憶する識別情報記憶手段と、価格を表示する価格表示手段と、前記無線信号に含まれる商品の識別情報が、前記識別情報記憶手段で記憶している識別情報と一致した場合に、前記価格表示手段で表示する価格を、前記無線信号に含まれる識別情報に対応する前記価格に変更する表示変更手段と、を備えることを特徴とする受信装置である。
【００１６】
また本発明は、価格管理システムにおける前記受信装置のコンピュータに実行させるプログラムの記録媒体であって、商品の識別情報と当該商品の価格の組み合わせの情報を含む無線信号を前記発信装置から受信する受信処理と、価格表示手段に商品の価格を表示する価格表示処理と、前記無線信号に含まれる商品の識別情報が、識別情報記憶手段で記憶している識別情報と一致した場合に、前記価格表示手段で表示する価格を、前記無線信号に含まれる識別情報に対応する前記価格に変更する表示変更処理と、をコンピュータに実行させるプログラムの記録媒体である。
【００１７】
また本発明は、上記プログラムを記憶するコンピュータ読み取り可能な記録媒体である。
【発明の効果】
【００１８】
本発明によれば、前記価格管理装置が、価格の変更価格を受け付けて、商品情報記憶手段に記録される前記各商品の価格を、変更価格に変更し、その価格を変更した商品の識別情報と当該商品の変更価格の組み合わせの情報を発信装置に通知して発信指示を行なう。また発信装置が、価格を変更した商品の識別情報と当該商品の変更価格の組み合わせの情報を含む無線信号を発信する。そして、受信装置が、無線信号に含まれる商品の識別情報が、自装置の識別情報記憶手段で記憶している識別情報と一致した場合に、価格表示手段で表示する価格を、無線信号に含まれる識別情報に対応する変更価格に変更する。
これにより、値札を付け替えることなく商品の棚などに設置された受信装置が価格を変更して表示するので、商品の管理者などの労力を軽減することができる。
【００１９】
また、本発明によれば、価格管理装置が、指定を受け付けた商品の帰属するグループを商品情報記憶手段から読み取り、当該グループの情報を表示部に表示する。これにより、ある商品に関連する他の商品の価格変更と、それら全ての商品の棚の価格表示とを変更することが出来る。
【００２０】
また、本発明によれば、価格管理装置が、グループ毎の重み付けを示す重み付け情報を記憶し、重み付け情報と商品帰属グループ情報とに基づいて価格を変更した商品に関連する他の商品を特定する。これにより、価格が変更された商品に関連度の高い他の商品を特定することが出来る。
【００２１】
また、本発明によれば、価格を変更した商品についての変更価格によって発生する損失額を、当該価格を変更した商品の前記価格と変更価格と、仕入れ数とに基づいて計算し、損失額を、価格を変更した商品に関連する他の商品に、所定の配分計算式に基づいて配分し、商品情報記憶手段に記録される各商品の価格を、配分された損失額を上乗せした変更価格に変更する。これにより、価格の変更を積極的に行って、効率良く消費者への各商品の販売促進を行うことができる。
【発明を実施するための最良の形態】
【００２２】
以下、本発明の一実施形態による価格管理システムを図面を参照して説明する。図１は同実施形態による価格管理システムの概略図である。この図において、符号１は売り場の各商品の価格変更に伴う処理を行なう価格管理装置である。また２は無線信号を発信する無線発信機である。価格管理装置１と無線発信機２は通信ネットワークを介して接続されている。また３は売り場の商品陳列棚に各商品ごとに備えられた無線電子棚札である。また４は価格管理システムと商品の価格を参照して、商品の売上げ金額を処理するレジスタである。
【００２３】
図２は価格管理装置の機能構成を示すブロック図である。
価格管理装置１において、符号１０１は通信ネットワークを介して無線発信機２へ情報を送信する処理を行なう通信処理部である。また１０２は自装置内の各処理部を制御する制御部である。また１０３は商品帰属グループ情報や重み付け情報や商品ごとの仕入れ数を記憶する商品情報記憶手段である。なお、商品帰属グループ情報や重み付け情報の詳細については後述する。また１０４は価格管理装置１の備えるモニタへの情報の表示処理を行なう表示処理部である。
【００２４】
また１０５は無線発信機２に情報の発信を指示する発信指示部である。また１０６は商品情報記憶部１０３に記録されている商品の価格をユーザの指示に基づいて変更処理する価格変更部である。また１０７はモニタである。また１０８はユーザが指定した商品に関連する商品やグループを特定する関連商品特定部である。また１０９はユーザの指示により変更した商品の価格に基づいて、損失額を計算する損失額計算部である。また１１０は損失額を他の商品に配分することで、前記他の商品の価格をその損失額を上乗せした変更価格に変更する処理を行なう損失額配分部である。
【００２５】
図３は無線発信機と無線電子棚札それぞれの機能構成を示すブロック図である。
まず無線発信機２において、符号２０は無線信号を発信するためのアンテナである。また２１は無線信号を発信する処理を行なう無線発信処理部である。また２２は通信ネットワークを介して価格管理装置１との情報の送受信を行なうネットワーク処理部である。また２３は無線発信機２の各処理部の制御を行なう制御部である。
【００２６】
また無線電子棚札３において、３０は無線信号を受信するためのアンテナである。また３１は無線信号を受信する処理を行なう無線受信処理部である。また３２は自装置に固有の識別番号を記憶する識別番号記憶部である。なおこの識別番号は無線電子棚札３だけでなく、当該棚札３に対応する商品にも固有の識別番号である。また３３は無線電子棚札３の各処理部を制御する制御部である。また３４は価格を表示する液晶画面である。また３５は無線電子棚札３の各処理部に電力を供給する電源である。
【００２７】
そして、価格管理システムは、価格管理装置１と無線発信機２と、無線電子棚札３とで構成されたシステムであって、価格管理装置１が、各商品が所定のグループに帰属するか否かを示す情報や商品の価格を記憶し、管理者から指定を受け付けたグループに関連する、各商品の価格をモニタ１０７に表示する処理などを行なう。また価格管理装置１は、表示した各商品の価格の変更価格を受け付けて、商品情報記憶部１０３に記録される各商品の価格を、該変更価格に変更する処理などを行なう。また価格管理装置１は、価格を変更した商品の識別情報と当該商品の変更価格の組み合わせの情報を無線発信機２に通知して発信指示を行なう。そして、無線発信機２が、価格を変更した商品の識別番号と当該商品の価格の組み合わせの情報を含む無線信号を発信し、無線電子棚札３が、無線信号を受信する。そして、無線電子棚札３は、商品の識別番号を記憶しており、前記無線信号に含まれる商品の識別番号が、自装置の識別番号記憶部３２で記憶している識別番号と一致した場合に、液晶画面３４で表示している価格を、無線信号に含まれる識別番号に対応する変更価格に変更する処理を行なう。
【００２８】
図４は商品情報記憶部が記憶する商品テーブルのデータ構成を示す図である。
図５は、商品情報記憶部が記憶する重み付けテーブルのデータ構成を示す図である。
次に商品情報記憶部１０３が記憶するデータについて説明する。
図４より、商品情報記憶部１０３が記憶する商品テーブルは、売り場で売られている各商品が所定のグループに帰属するか否かを示す商品帰属グループ情報（食材の商品コードがメニューのグループに帰属するか否かを「０」、「１」のフラグで示している表）と、各商品の価格と仕入れ個数とを対応付けたデータテーブルである。
【００２９】
また図５より、商品情報記憶部１０３が記憶する重み付けテーブルは、メニューグループの各重み付け値を保持するデータテーブルである。ここで、重み付け値とは、季節や気候や時間帯などによって、各メニューグループに対して付けられる数値であり、例えば、季節が冬であれば、「おでん」や「鍋」などのメニューに関する食材が良く売れるので、「おでん」や「鍋」のメニューグループに対応する重み付け値が高く設定されてテーブルに登録される。なお、重み付け値は、例えば商品やグループの定義が本実施形態と異なる場合には、その商品やグループに適した重み付け値となる。
【００３０】
次に、価格管理システムの処理フローについて説明する。
図６は無線電子棚札の表示する価格を変更する際の処理のフローを示す図である。
図６より、まず、各処理を経て、ある商品についての価格が変更された場合、つまり価格変更部１０６が価格管理装置１の商品情報記憶１０３に記録されている商品の価格を、管理者の指示などに基づいて変更価格に変更した場合、価格変更部１０６はその変更した旨の情報を発信指示部１０５に通知する。すると、発信指示部１０５は、価格を変更した商品の識別番号と当該商品の価格を商品情報記憶部１０３から読み取って、それら識別番号と価格の組み合わせの情報の発信指示を無線発信機２へ送信するよう通信処理部１０１に通知する。すると通信処理部１０１は前記組み合わせの情報と発信指示の情報とを、価格変更部１０６から受け付けて、通信ネットワークを介して無線発信機２に送信する（ステップＳ１）。
【００３１】
次に、無線発信機２のネットワーク処理部２２において、価格管理装置１から識別番号と価格の組み合わせの情報と、その発信指示の情報を受け付け、当該受け付けた情報に基づいて、制御部２３が識別番号と価格の組み合わせの情報の発信指示を無線発信処理部２１に通知する。すると、無線発信処理部２１は識別番号と価格の組み合わせの情報を含む無線信号をアンテナ２０から発信する（ステップＳ２）。
【００３２】
無線電子棚札３の無線受信処理部３１は、無線発信機２から発信された無線信号をアンテナ３０を介して受信する（ステップＳ３）。そして制御部３３が無線信号に含まれる識別番号と価格の情報を読み取る（ステップＳ４）。そして制御部３３は読み取った識別番号が識別番号記憶部３２に記録されている識別番号と一致するか否かを確認し（ステップＳ５）、一致する場合には、液晶画面３４に既に表示されている価格を、無線信号から読み取った価格に変更して表示する（ステップＳ６）。
これにより価格管理装置１において、商品の管理者によって商品の価格が変更された場合には、その情報を売り場の各商品の棚に備えられた無線電子棚札３に即時に反映させることができるので、管理者の値札の付け替えなどの労力を軽減することが出来る。
【００３３】
次に、価格変更時の価格管理装置の処理について説明する。
まず、価格管理装置１には、管理者からの指示を受け付ける入力部（キーボードやマウス）が備えられており、その入力部からの入力により、価格変更部１０６が特定商品の価格変更要求を受け付ける。すると、価格変更部１０６は、受け付けた特定商品の現在の価格を商品情報記憶部１０３が記憶する商品テーブルから読み取って、当該特定商品の情報と価格の情報とを表示した価格変更画面をモニタ１０７に表示する。この価格変更画面を用いて、管理者は変更価格と変更指示とを入力すると、価格変更部１０６は商品テーブルの前記特定商品の価格を変更価格に書き換える。そしてこの価格の変更の処理が終了すると、価格変更部１０６は上述したような無線電子棚札３の表示の修正のための処理を開始する。
なお、価格変更部１０６は価格変更要求の際にメニューグループの情報を受け付けた場合には、そのメニューグループに帰属する全ての商品（つまり、メニューグループに帰属するか否かを示すフラグが「１」となってている商品）の情報とその価格を表示した価格変更画面ををモニタ１０７に表示するようにしても良い。
【００３４】
図７は価格変更商品に関連する他の商品の価格を変更する際の処理フローを示す図である。
価格管理装置１は、上記処理に加え、商品の価格変更が行なわれた際にその商品の価格変更に基づいて関連する他の商品の価格を変更する処理を行なう。
図７より、まず、商品の価格変更が行なわれた場合、価格変更部１０６は価格変更した商品（以降価格変更商品と呼ぶ）の商品コードを関連商品特定部１０８に通知する。すると、関連商品特定部１０８は商品テーブルから商品帰属グループ情報（食材の商品がメニューのグループに帰属するか否かを「０」、「１」のフラグで示している表）を読み取り、その情報に基づいて、関連商品特定用行列Ｍを生成する（ステップＳ７１）。ここで関連商品特定用行列Ｍは、商品テーブルの商品帰属グループ情報の「０」と「１」のフラグの並びでそのまま表される行列において、価格変更商品のフラグが０になっているメニューグループに帰属する（つまりフラグが「１」となっている）他の商品のフラグを全て「０」に変更した行列である。なお、商品の数をｉ、メニューグループの数をｊとすると、関連商品特定用行列Ｍはｉ行ｊ列の行列となる。
【００３５】
また関連商品特定部１０８は商品情報記憶部１０３の重み付けテーブルに記録されている重み付け値を読み取り、重み付け用行列Ｗを生成する（ステップＳ７２）。重み付け用行列Ｗは重み付けテーブルに記録されている重み付け値の並びでそのまま表される行列であり、ｊ行１列の行列となる。
【００３６】
ここで、価格変更商品が帰属するメニューグループの集合をＮとすると、他の商品ｉの価格変更商品に対する関連度Ｒｉは、式（１）によって表される。
【００３７】
【数１】
2006113756.tif 000003
【００３８】
式（１）におけるＭｉｊは関連商品特定用行列Ｍにおける１つの行列要素（ｉ行Ｊ列の値）を示している。そして関連商品特定部１０８は、この式により、「Ｍ１１×Ｗ１＋Ｍ１２×Ｗ２＋Ｍ１３×Ｗ３＋・・・＋Ｍｉｊ×Ｗｊ」を計算して、ｉ＝１の商品の価格変更商品に対する関連度を算出し、また同様に各商品の価格変更商品に対する関連度を算出する（ステップＳ７３）。つまり式（１）により算出されたｍ行１列の行列が、各商品の価格変更商品に対する関連度を表しており、その中で、価格変更商品の値は最も高い値を示す値となるが、その値に近い他の商品ほど、価格変更商品への関連度が高い商品となる。
図８は関連商品特定部の処理の概要を示す図である。
【００３９】
図８が示すように、関連商品特定部１０８は、まず商品テーブルから得られる商品帰属グループ情報の行列により、関連商品特定用行列Ｍを生成し、当該関連商品特定用行列Ｍと重み用行列Ｗとを用いて、式（１）により、価格変更商品に対する関連度を算出する。そして関連商品特定部１０８は、算出された関連度の値から最も値の高い価格変更商品以外の商品を特定する（ステップＳ７４）。
なお、この価格変更商品との関連度の高い他の商品の特定は、関連度の高い複数の商品を特定する方法以外であってもよく、この処理は任意に設定される。そして、関連商品特定部１０８は特定した３つの商品の商品コードを損失額配分部１１０に通知する。
【００４０】
次に、関連商品特定部１０８が価格変更商品に関連度の高い商品の特定を完了すると、損失額計算部１０９が、価格変更商品の変更前の価格と、変更価格と、仕入れ数とに基づいて損失額Ｐを計算する（ステップＳ７５）。損失額Ｐは式（２）によって計算される。なお式（２）は、価格変更商品が「ジャガイモ」であり、変更前の価格が図４中の「ｙ」であり、仕入れ個数が図４中の「β」であり、変更価格が「Ｙ」である場合の損失額Ｐを算出する式である。
【００４１】
【数２】
2006113756.tif 000004
【００４２】
そして、次に、損失額配分部１１０が関連商品特定部１０８で特定された商品の価格に、前記損失額を上乗せする処理を行なう（ステップＳ７６）。ここで、損失額配分部１１０は、関連商品特定部１０８で特定された商品が「たまねぎ」であり、その「たまねぎ」の売値が図４中の「ｚ」であり、仕入れ個数が図４中の「γ」である場合、式（３）＜配分計算式＞を用いて「たまねぎ」の価格Ｋを算出する。
【００４３】
【数３】
2006113756.tif 000005
【００４４】
これにより、たまねぎの価格に、ジャガイモの価格を変更した際の損失額分が上乗せされた価格が計算できる。
そして、損失額配分部１１０は算出結果を、「たまねぎ」の変更価格として価格変更部１０６に通知する。つまりたまねぎの商品コードと、その変更価格の値を通知する。これにより、価格変更部１０６は商品情報記憶部１０３の商品テーブルに記録されているたまねぎの価格を変更価格に書き換える処理と、当該たまねぎの無線電子棚札３の表示の修正のための処理を開始する（ステップＳ７７）。
【００４５】
以上の処理により、価格を変更した商品と関連度の高い他の商品の価格に、前記価格の変更による損失額を上乗せできるので、例えば、ジャガイモを特売品として価格を下げた際に、そのジャガイモと同じ料理（メニュー）で利用される関連度の高い商品の価格を上げて販売することができる。従って、例えばジャガイモという特売商品を見て、購入者が夕食のメニューをカレーライスにしようと考えた場合、当該ジャガイモとカレーライスに利用される他の食材を購入する場合、トータルとしてジャガイモに反映させた特売価格による損失分を他の商品に上乗せできるので、売上げの損失を軽減させることが可能となる。
また、本発明により、商品の管理者が各メニューグループに対する重み付けを適宜設定できるので、価格を変更する商品と関連度の高い商品を適宜変更することができ、これにより、効率良く消費者への各商品の販売促進を行うことができる。
また、メニューグループを指定した際に、そのメニューグループに関する食材の価格を変更して、一度にその各食材の無線電子棚札３の価格変更が可能となるので、価格の変更を積極的に行って、効率良く消費者への各商品の販売促進を行うことができる。
【００４６】
なお、上述の各装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４７】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４８】
【図１】価格管理システムの概略図である。
【図２】価格管理装置の機能構成を示すブロック図である。
【図３】無線発信機と無線電子棚札それぞれにおける機能構成を示すブロック図である。
【図４】商品情報記憶部が記憶する商品テーブルのデータ構成を示す図である。
【図５】商品情報記憶部が記憶する重み付けテーブルのデータ構成を示す図である。
【図６】無線電子棚札の表示する価格を変更する際の処理のフローを示す図である。
【図７】価格変更商品に関連する他の商品の価格を変更する際の処理フローを示す図である。
【図８】関連商品特定部の処理の概要を示す図である。
【符号の説明】
【００４９】
１・・・価格管理装置
２・・・無線発信機
３・・・無線電子棚札
４・・・レジスタ
【図１】
2006113756.tif 000006
【図２】
2006113756.tif 000007
【図３】
2006113756.tif 000008
【図４】
2006113756.tif 000009
【図５】
2006113756.tif 000010
【図６】
2006113756.tif 000011
【図７】
2006113756.tif 000012
【図８】
2006113756.tif 000013